(57)【要約】【課題】１台の除雪機で容易にブレード部の形状のみを変更できて取り扱い性の良いブレード除雪機を提供する。【解決手段】除雪用ブレード部１１の前方に、中央部が前方に突出して左右端部が後方外側に傾斜して平面視Ｖ字状で構成され、走行正面方向から受ける雪を左右側方に雪を掻き分けるラッセル式ブレード８が着脱可能に取り付けできるとともに、該ラッセル式ブレード８は、中央部より左右に分割可能に構成されていて、分割したラッセル式ブレード８を進行方向と直交する方向に直線状に着脱可能に取り付けることも可能で、直線状にすると後方に位置する前記除雪用ブレード部１１の幅より広いブレードとなるように構成されたことを特徴とした除雪機による。【選択図】      図２
2015045143.tif 000002
【特許請求の範囲】
【請求項１】
走行部を有する走行フレームと、走行フレーム前方に設けた除雪用ブレード部と、走行フレームの後方に設けた操作ハンドルとを備え、除雪用ブレード部は、雪を押しのける前方面を側面視後方に窪むように湾曲させ、進行方向と直交する方向に設けられている除雪機において、
前記除雪用ブレード部の前方に、中央部が前方に突出して左右端部が後方外側に傾斜して平面視Ｖ字状で構成され、走行正面方向から受ける雪を左右側方に雪を掻き分けるラッセル式ブレードが着脱可能に取り付けできるとともに、該ラッセル式ブレードは、中央部より左右に分割可能に構成されていて、分割したラッセル式ブレードを進行方向と直交する方向に直線状に着脱可能に取り付けることも可能で、直線状にすると後方に位置する前記除雪用ブレード部の幅より広いブレードとなるように構成されたことを特徴とした除雪機。
【発明の詳細な説明】
【技術分野】
【０００１】
本発明は、走行用のクローラベルトや走行輪により前後進する走行部と、走行部の前方部に除雪用のブレードを備え、後方に設けたハンドルを操作して雪を除雪用のブレードで押出して除雪作業を行なう除雪機に関する。
【背景技術】
【０００２】
従来、除雪用のブレードを備えた歩行型の除雪機は、例えば、ハンドルを上下に回動すると車体フレーム前方部に設けた除雪用ブレードが車体フレームとともに上下に回動する特許第４５１６１８９号公報（従来技術１）の「排雪板付き除雪機」や、走後部前方の掻き込みオーガの前部に着脱可能に排雪板を設けた特開２００７−１２６８６０号公報(従来技術２)の「除雪機」およびロータリ式除雪装置の除雪車で、ロータリ式除雪装置の左右一対の掻き寄せ翼を回動させラッセル式除雪装置のラッセル翼として使用する特開２００２−３１７４２０号公報(従来技術３)に記載の「ロータリ・ラッセル共用型除雪車」が公知である。
【先行技術文献】
【特許文献】
【０００３】
【特許文献１】特許第４５１６１８９号公報（従来技術１）
【特許文献２】特開２００７−１２６８６０号公報(従来技術２)
【特許文献３】特開２００２−３１７４２０号公報(従来技術３)
【発明の概要】
【発明が解決しようとする課題】
【０００４】
除雪用ブレードにより雪を押して除雪する場合、積雪状況や除雪場所、除雪目的によって状況に応じた形状のブレードで作業を行うことで効率よく作業を行うことができる。しかし、それぞれの形状のブレードを有した除雪機を用意することは経済的にも負担が大きく、保管等も容易ではないという問題がある。
【０００５】
本発明はこのような問題を解決すべくなされたもので、１台の除雪機で容易にブレード部の形状のみを変更できて取り扱い性の良いブレード除雪機を提供することにある。
【課題を解決するための手段】
【０００６】
上記課題を解決するために、本発明の除雪機は、走行部を有する走行フレームと、走行フレーム前方に設けた除雪用ブレード部と、走行フレームの後方に設けた操作ハンドルとを備え、除雪用ブレードは、雪を押しのける前方面を側面視後方に窪むように湾曲させ、進行方向と直交する方向に設けられている除雪機において、前記除雪用ブレード部の前方に、中央部が前方に突出して左右端部が後方外側に傾斜して平面視Ｖ字状で構成され、走行正面方向から受ける雪を左右側方に雪を掻き分けるラッセル式ブレードが着脱可能に取り付けできるとともに、該ラッセル式ブレードは、中央部より左右に分割可能に構成されていて、分割したラッセル式ブレードを進行方向と直交する方向に直線状に着脱可能に取り付けることも可能で、直線状にすると後方に位置する前記除雪用ブレード部の幅より広いブレードとなるように構成されたことを特徴とした除雪機を提供する。
【発明の効果】
【０００７】
除雪用ブレード部の前方に、平面視Ｖ字状で構成され、走行正面方向から受ける雪を左右側方に雪を掻き分けるラッセル式ブレードが着脱可能に取り付け可能であることにより、１台の除雪機で雪の押出作業と雪を左右に掻き分けて通路等を確保するラッセル除雪作業が容易に可能となる。さらに、ラッセル式ブレードを進行方向と直交する方向に直線状に着脱可能に取り付けることも可能で、直線状にすると後方に位置する除雪用ブレード部の幅より広いブレードとなるため、積雪が少ないときなどに幅広い押出作業が可能であり、効率よい作業が行える除雪機が提供できる。
【図面の簡単な説明】
【０００８】
【図１】本発明の歩行型ブレード除雪機の左前方からの斜視図である。
【図２】本発明の歩行型ブレード除雪機のラッセル式ブレードを取り付けた状態の左前方からの斜視図である。
【図３】本発明の歩行型ブレード除雪機のラッセル式ブレードを直線状に取り付けた状態の左前方からの斜視図である。
【図４】ラッセル式ブレードの取付け部を示す図５のＡ−Ａ断面図である。
【図５】ラッセル式ブレードの図４に示すＢ−Ｂ断面図である。
【図６】ラッセル式ブレードを直線状に取付けた状態の平面断面図である。
【発明を実施するための形態】
【０００９】
実施の一形態を、図１乃至図６に基づいて説明する。
【００１０】
図１は、除雪用ブレード部１１を有する歩行型ブレード除雪機の左前方からの斜視図である。図２は、図１に示す歩行型ブレード除雪機の除雪用ブレード部１１前方にラッセル式ブレードを取り付けた状態の左前方からの斜視図である。図３は、ラッセル式ブレードを直線状にして除雪用ブレード部１１の前方に取り付けた状態の左前方からの斜視図である。本発明の歩行型ブレード除雪機は、走行フレーム１に走行用として左右にクローラベルト３９を設け、前方部に駆動輪３５と後方に従動輪３７を位置させてクローラベルト３９を駆動する走行部９を有する。クローラベルト３９前方部には、左右のクローラベルト３９の左右方向幅より広い幅の排雪板１７を有する除雪用ブレード部１１が設けられ、後方部には作業者が左右握って操作するグリップ２６を左右後端に設けた操作ハンドル２４が設けられている。操作ハンドル２４右後端側には、操作パネル２８が設けられ、これには走行方向を前後に切替える切換レバー２９が設けられている。他方左側のグリップ２６近傍には走行をＯＮ・ＯＦＦさせる走行レバー２７が設けられている。
【００１１】
操作ハンドル２４は、前方に位置する除雪用のブレード部１１に連結され一体となっている。操作ハンドル２４は、前記左右のクローラベルト３９の内側左右を通り後方に延設され、側面視クローラベルト３９の前後に配置された駆動輪３５と従動輪３７の回転軸間の略中央部に位置する進行方向と直交する水平軸の回動支点軸（図示せず）を中心に上下に回動可能に設けられ、前方にブレード部１１が取り付けられた回動フレーム１５と固着して設けられている。すなわち、操作ハンドル２４のグリップ２６部を握り、下方に押し下げると、回動フレーム１５が回動支点軸を中心に回動して前方部に取り付けられた除雪用のブレード部１１を上方に回動させる。
【００１２】
中央に位置する走行フレーム１の左右には、クローラベルト３９が設けられ、左右クローラベルト３９の中間部には走行用の電動モータ４１を駆動する動力源であるバッテリ部３と、電動モータ４１を制御するための制御部５が設けられている。走行フレーム１からは左右方向にクローラベルト３９を駆動する駆動輪３５と従動輪３７を取り付けるためのそれぞれの回転軸が延設して設けられている。走行用のクローラベルト３９は、前方に設けた駆動輪３５と後部の従動輪３７とに巻き掛けられていて、駆動輪３５部に設けられた電動モータ４１を正逆回転させて駆動される。左右のクローラベルト３９の作動部分は、左右対称な構造となっている。
【００１３】
電動モータ４１は、駆動輪３５部に一体で設けられていて、電動モータ４１には減速部が内蔵されていて、走行フレーム１から水平に突設された回転軸を中心に電動モータ４１が回転すると駆動輪３５も同軸上で回転する。電動モータ４１部はほぼクローラベルト３９の幅内に位置しているため、重心はクローラベルト３９の幅内に位置して、構成部品の中でも比較的重量がある電動モータ４１の重量を直接クローラベルト３９の接地圧に作用させて駆動力を向上させる。また、駆動輪３５部に他の構成部品に比べ比較的重量の有る電動モータ４１が位置することにより、ブレード除雪機全体の重心を低く抑えることができるため、左右に傾斜した場合でも左右のクローラベルトの駆動力の変化が少なく、転倒の危険性も少なく取り扱い性が良好な構造とすることができる。さらに、電動モータ４１がクローラベルト３９内に位置するため、全体の構成をコンパクトに構成できる。
【００１４】
走行フレーム１中央部にはバッテリ部３が位置していて、その外周はカバーによって覆われて保護されている。バッテリ部３は、走行フレーム１及びその後方に位置する電動モータ４１の作動を制御する制御部５から切り離して取り外し可能な構成となっていて、充電するときは取り外して暖かい室内等で充電が可能となっている。バッテリ部３は、バッテリ部３の前方部に設けた固定ノブ５０により走行フレーム１に固定され、後方部は制御部５側に設けた水平方向のガイドピン（図示せず）に挿入され固定される。
【００１５】
ブレード部１１は、雪を押出すためのメインの排雪板１７と、その下端部に位置するスクレーパ１９と、左右側部に位置して排雪板１７で押出す雪を側方に逃がさないための側板２１で構成されている。排雪板１７は、前方に向けた凹状で左右のクローラベルト１２の外端より左右方向幅が広く設けられている。排雪板１７の下方端部には排雪板１７の全幅にわたってスクレーパ１９が取付けられている。スクレーパ１９は前端部から後方に向け鋭角に傾斜していてブレード部１１を雪面に押し付けて食込ませるためのもので、前進することにより雪を排雪板１７の前面の凹部面に沿って誘導して上昇させ前方に湾曲した上方部から前方に順次雪を落とし込んでいく。
【００１６】
側板２１は、排雪板１７の左右端部にボルトによって取り付けられ、着脱が可能な構成となっている。
【００１７】
図２は、前記除雪用ブレード部１１の前方にラッセル式ブレード８を取り付けた状態を示したもので、ラッセル式ブレード排雪板８４は、前方に向けた凹状で中央部が前方に突出して左右端部が後方外側に傾斜して平面視Ｖ字状に構成され、走行正面方向から受ける雪を左右側方に雪を掻き分けるように除雪を行う。ラッセル式ブレード８は、ブレード部１１の側板２１を取り外し、その取り付け部にラッセル式ブレード８の後方側に設けたラッセル式ブレード取り付け板８０をボルトによって固定して取り付ける。該ラッセル式ブレード８は、中央部より左右に分割可能にボルトで固定して構成されている。ラッセル式ブレード８での除雪は、比較的積雪が少ない状態のときに通路状にブレード幅で除雪を行うときに使用すると効率よく作業が行える。
【００１８】
図３は、ラッセル式ブレード８を進行方向と直交する方向に直線状に取り付けた状態を示したもので、ラッセル式ブレード排雪板８４を左右入れ替えて端部に設けた幅広連結板８３をボルトにより固定して連結すると、左右のブレードが直線状になるように構成されている。幅広連結板８３は、ラッセル式ブレード排雪板８４に対し直角に設けられている。また、ブレード部１１への取り付けは、後面に設けた幅広ブレード取り付け板８１をブレード部１１の側板２１取り付け部にボルトで固定する。直線状となったブレードは後方のブレード部１１の左右幅より広い寸法に設定してあり、積雪が少ないときに１工程で広い幅で除雪ができるため、効率よく除雪作業が可能となる。
【００１９】
図４はラッセル式ブレードの取付け部を示したもので、図５のＡ−Ａ断面を示したものである。ラッセル式ブレード８の後方面にラッセル式ブレード取り付け板８０が進行方向と平行に固着されていて、ブレード部１１の側板２１取り付け部にボルト８５により固定される。
【００２０】
図５はラッセル式ブレード８の図４に示すＢ−Ｂ断面を示した平面図である。図６はラッセル式ブレード８を直線状にして取付けた状態の平面断面図である。図５に示すラッセル式ブレード８は、中央部が前方に突出するとともに左右端部が後方外側に傾斜して平面視Ｖ字状に形成されている。中央部は左右のラッセル用連結板８２を当接させ固定、そして、左右に位置するラッセル式ブレード取り付け板８０をブレード部１１の側板２１取り付け部に当接させボルト８５により固定する。これにより、ブレード部１１の前方に、ラッセル式ブレード８が取り付けられる。また、図６のように排雪板を直線状にするには、平面視Ｖ字状の図５の状態からブレードを左右入れ替えて、ラッセル式ブレード排雪板８４と直交して設けられた左右端部の幅広連結板８３を当接させボルトにて固定すると、左右のブレードが直線状となり、後方のブレード部１１の左右幅より広いブレードとなる。取り付けは、ラッセル式ブレード排雪板８４の後面に直交して設けられた幅広ブレード取付け版８１をブレード部１１の側板２１取り付け面に当接させボルト８５により固定する。このように、ブレード部分を容易に交換できることで、１台の除雪機で多様な作業が可能となる。
【００２１】
本発明の歩行型ブレード除雪機で除雪作業を行なうには、操作ハンドル２４の操作パネル２８に設けた電源スイッチ３０をＯＮにし、切換レバー２９を前進又は後進に切替えて、操作ハンドル２４の左右のグリップ２６を握り、左側のグリップ２６部に設けた走行レバー２７を握ると、制御部５は左右のクローラベルト３９部の駆動輪３５を駆動する電動モータ４１を回転させ、クローラベルト３９を駆動して歩行型ブレード除雪機を移動させる。移動の際は、グリップ２６部を少し押し下げて前方のブレード部１１を少し地面から上昇させ移動を行なう。
【００２２】
目的の除雪場所に移動させ、切換レバー２９を前進方向に切換え、前方の除雪用ブレード部１１を地面に接地させ、左右のグリップ２６を握るとともに走行レバー２７を握り前進させる。前進すると、ブレード部１１下端部のスクレーパ１９が前方の雪に食込み順次雪を除雪用ブレード部１１の排雪板１７の前面に沿って上昇させ前方に湾曲した上方部から前方に順次落とし込んでいく。次第にブレード部１１に雪が堆積してきたら、操作ハンドル２４を押し下げてブレード部１１を上昇させ前方に雪を盛り上げる。又は放擲する。この際、走行レバー２７を開放すると電動モータ４１の回転が停止して走行が停止する。この動作を繰り返して除雪作業を行なう。
【００２３】
前記除雪作業時の除雪用ブレード部１１の前方部にラッセル式ブレード８を装着すると、前進させることでラッセル式ブレード排雪板８４の左右幅分で雪を左右に排除する。積雪が比較的少ないときに、通路の確保等が容易にできる。また、ラッセル式ブレードを直線状に取付けると、ブレード幅が広くなるため効率よく除雪作業が可能となる。
【産業上の利用可能性】
【００２４】
本発明は、左右にクローラベルト等の走行部を有し、前方にブレード式除雪部を設けた除雪機に適用できる。
【符号の説明】
【００２５】
１    走行フレーム
３    バッテリ部
５    制御部
８    ラッセル式ブレード部
８０  ラッセル式ブレード取付板
８１  広幅ブレード取付版
８２  ラッセル用連結板
８３  広幅連結板
８４  ラッセル式ブレード排雪板
８５  ボルト
９    走行部
１１  ブレード部
１５  回動フレーム
１７  排雪板
１９  スクレーパ
２１  側板
２４  操作ハンドル
２６  グリップ
２７  走行レバー
２８  操作パネル
２９  切換レバー
３０  電源スイッチ
３５  駆動輪
３７  従動輪
３９  クローラベルト
４１  電動モータ
５０  固定ノブ
【図１】
2015045143.tif 000003
【図２】
2015045143.tif 000004
【図３】
2015045143.tif 000005
【図４】
2015045143.tif 000006
【図５】
2015045143.tif 000007
【図６】
2015045143.tif 000008